(57)【特許請求の範囲】
【請求項１】
微小粒子の測定データを保存するデータ格納部と、
前記測定データから独立した３種の変数を選択する入力部と、
前記３種の変数を座標軸とする座標空間内における位置と図形を計算し、前記微小粒子の特性分布を表す３Ｄ立体画像を作成するデータ処理部と、
前記３Ｄ立体画像を表示する表示部と、を有し、
前記３Ｄ立体画像は二眼式ステレオ立体画像であり、
前記入力部からの入力信号に基づいて前記座標空間を複数の領域に区分けする平面を位置変更可能に設定し、前記３Ｄ立体画像中に表示し、
前記データ処理部は、前記領域における変数値及び分布頻度を計算し、
前記表示部は、前記変数値及び分布頻度に関する情報を表示し、かつ、各領域内の前記図形の色を該分布頻度に関連付けされた色で多色表示し、
前記３Ｄ立体画像において、前記平面は、半透明で表示され、該画像の立体像観察時において該平面よりも奥に前記図形を観察可能とする３Ｄデータ解析装置。
【請求項２】
前記３Ｄ立体画像において、前記平面は、前記入力部からの信号入力時にのみ前記３Ｄ立体画像中に表示され、又は、前記入力部からの入力信号に基づいて前記３Ｄ立体画像中への表示の有無を切り換え可能とされる請求項１記載の３Ｄデータ解析装置。
【請求項３】
前記入力部からの入力信号に基づいて前記表示部において前記３Ｄ立体画像を回転させ、任意に選択された座標軸方向からの該画像の立体像観察を可能とする請求項１又は２記載の３Ｄデータ解析装置。
【請求項４】
前記平面は、前記座標軸に垂直な面であり、平面と座標軸との交点に配置された標識図形が前記入力部からの入力信号に基づいて移動されるに伴って位置変更される請求項１〜３のいずれか一項に記載の３Ｄデータ解析装置。
【請求項５】
前記平面は、前記座標軸の各軸にそれぞれ垂直な３つの面であり、３つの平面の交点に配置された標識図形が前記入力部からの入力信号に基づいて移動されるに伴って一体に位置変更される請求項１〜３のいずれか一項に記載の３Ｄデータ解析装置。
【請求項６】
微小粒子の測定データを保存するデータ格納部と、前記測定データから独立した３種の変数を選択する入力部と、前記３種の変数を座標軸とする座標空間内における位置と図形を計算し、前記微小粒子の特性分布を表す３Ｄ立体画像を作成するデータ処理部と、前記３Ｄ立体画像を表示する表示部と、を有し、前記３Ｄ立体画像は二眼式ステレオ立体画像であり、前記入力部からの入力信号に基づいて前記座標空間を複数の領域に区分けする面を位置変更可能に設定し、前記３Ｄ立体画像中に表示し、前記データ処理部は、前記領域における変数値及び分布頻度を計算し、前記表示部は、前記変数値及び分布頻度に関する情報を表示し、かつ、各領域内の前記図形の色を該分布頻度に関連付けされた色で多色表示し、前記３Ｄ立体画像において、前記平面は、半透明で表示され、該画像の立体像観察時において該平面よりも奥に前記図形を観察可能とする３Ｄデータ解析装置と、
微小粒子測定装置と、を連設してなる微小粒子解析システム。
【請求項７】
微小粒子の測定データから独立した３種の変数を選択する手順と、
前記３種の変数を座標軸とする座標空間内における位置と図形を計算し、前記微小粒子の特性分布を表す３Ｄ立体画像を作成する手順と、
前記３Ｄ立体画像を表示させる手順と、
前記３Ｄ立体画像において前記座標空間を複数の領域に区分けする平面を設定する手順と、
前記領域における変数値及び分布頻度を計算する手順と、
前記変数値及び分布頻度に関する情報を表示し、かつ、各領域内の前記図形の色を該分布頻度に関連付けされた色で多色表示する手順と、を含み、
前記３Ｄ立体画像は二眼式ステレオ立体画像であり、前記３Ｄ立体画像において、前記平面は、半透明で表示され、該画像の立体像観察時において該平面よりも奥に前記図形を観察可能である３Ｄデータ解析方法。
【請求項８】
微小粒子の測定データから選択される独立した３種の変数を座標軸とする座標空間内における位置と図形を計算し、前記微小粒子の特性分布を表す３Ｄ立体画像を作成するステップと、
前記３Ｄ立体画像を表示するステップと、
前記３Ｄ立体画像においてユーザにより設定される平面により複数の領域に区分けされた前記座標空間の各領域について、該領域における変数値及び分布頻度を計算するステップと、
前記変数値及び分布頻度に関する情報を表示し、かつ、各領域内の前記図形の色を該分布頻度に関連付けされた色で多色表示するステップと、をコンピュータに実行させ、
前記３Ｄ立体画像は二眼式ステレオ立体画像であり、前記３Ｄ立体画像において、前記平面は、半透明で表示され、該画像の立体像観察時において該平面よりも奥に前記図形を観察可能である３Ｄデータ解析プログラム。
【発明の詳細な説明】
【技術分野】
【０００１】
本技術は、３Ｄデータ解析のための装置、方法及びプログラムと、微小粒子解析システムに関する。より詳しくは、微小粒子の測定データを３Ｄ立体画像により表示し、該画像を用いてポピュレーション情報などのデータ解析を行うことができる３Ｄデータ解析装置等に関する。
【背景技術】
【０００２】
細胞、微生物及びリポソーム等の生体関連粒子や、ラテックス粒子、ゲル粒子及び工業用粒子等の合成粒子などの微小粒子を解析するため、微小粒子の分散液を流路内に導入して、微小粒子を光学的、電気的あるいは磁気的に測定する微小粒子測定装置が用いられている。
【０００３】
一例として、合成粒子を大きさや形状に応じて判別するパーティクルアナライザーがある。パーティクルアナライザーで測定可能なパラメータ（変数）には、微小粒子の元素組成及び粒径などがある。
【０００４】
また、生体関連粒子の解析では、フローサイトメータ（フローサイトメトリー）が用いられている。フローサイトメータで測定可能なパラメータには、微小粒子の前方散乱光（FS）、側方散乱光（SS）、蛍光（FL）及びインピーダンスなどがある。前方散乱光（FS）、側方散乱光（SS）及び蛍光（FL）は細胞や微生物（以下、単に「細胞」という）の光学的特性を示すパラメータとして、インピーダンスは細胞の電気的特性を示すパラメータとして用いられる。
【０００５】
具体的には、まず、前方散乱光は、レーザー光の軸に対して前方向の小さい角度で散乱する光であり、細胞の表面で生じるレーザー光の散乱光や回折光、屈折光からなる。前方散乱光は、主として細胞の大きさを示すパラメータとして用いられている。次に、側方散乱光は、レーザー光の軸に対して約９０度の角度で散乱する光であり、細胞の内部の顆粒や核などで生じるレーザー光の散乱光である。側方散乱光は、主として細胞の内部構造を示すパラメータとして用いられている。また、蛍光は、細胞に標識された蛍光色素から発生する光であり、蛍光色素標識抗体が認識する細胞表面抗原の有無や蛍光色素が結合した核酸の量などを示すパラメータとして用いられている。また、インピーダンスは、電気抵抗法によって測定され、細胞の容積を示すパラメータとして用いられている。
【０００６】
フローサイトメータにおける測定データの解析のため、これらの測定パラメータを軸にとって各細胞の測定値をプロットすることにより、細胞集団中における細胞の特性分布を表す図を作成して表示するデータ解析装置が用いられている。測定パラメータを１つとした一次元分布図はヒストグラムとも称され、測定パラメータをＸ軸にとり、細胞数（カウント）をＹ軸にとったグラフとして作成される。また、測定パラメータを２つとした二次元分布図はサイトグラムとも称され、一方の測定パラメータをＸ軸とし、他方の測定パラメータをＹ軸とした座標面内に、各細胞をその測定値に基づいてプロットしていくことにより作成される。
【０００７】
ヒストグラム上あるいはサイトグラム上に領域を設定することで、各領域内に存在する細胞に関して統計的なデータを得ることが可能である。統計的なデータとしてよく用いられているものに、細胞集団中に目的細胞がどれくらいの割合で含まれているのかを示す頻度分布（ポピュレーション情報）がある。頻度分布は、ヒストグラム上あるいはサイトグラム上に設定された各領域内に存在する細胞が全体に占める割合として算出される。
【０００８】
例えば、目的細胞が所定のパラメータについて一定値以上の値を示すことが既知である場合、ヒストグラムによる目的細胞の分布頻度の算出は、ヒストグラムをＸ軸上の一定値で２分割することから行われる。これにより、ヒストグラムを一定値以上の領域（目的細胞が存する領域）と一定値未満の領域（非目的細胞が存する領域）とに区分けする。データ解析装置は、設定された各領域について、領域内に存在する細胞の数から分布頻度を算出する。また、サイトグラムを用いる場合には、分布頻度の計算は、サイトグラムをＸ軸上及びＹ軸上の一定値で分割して４つの領域に区分けすることから行われる。これにより、サイトグラムを２つのパラメータがともに一定値以上の領域（目的細胞が存する領域）といずれかのパラメータが一定値未満の領域（非目的細胞が存する領域）に区分けする。
【０００９】
特許文献１には、「分析物から第１、第２及び第３の測定データを取得する測定データ取得手段と、前記第１、第２及び第３の測定データを軸とし、分析物に含まれる有形成分の分布を示す三次元分布図を作成する三次元分布図作成手段と、前記三次元分布図上に分画領域を変更可能に設定する領域設定手段と、前記領域設定手段によって設定された前記分画領域に属する有形成分について、前記第１及び第２の測定データを軸とする２次元分布図及び前記第１の測定データを軸とする度数分布図の少なくとも一方を作成する参考用分布図作成手段と、を備える分析装置。」が提案されている（当該文献請求項９参照）。この分析装置によれば、三次元分布図とともに表示される２次元分布図（サイトグラム）及び度数分布図（ヒストグラム）を参照しながら、三次元分布図上に分画領域を設定することができる。なお、この分析装置の三次元分布図は、ディスプレイ上に平面的に表示されるものであり、立体視されるものではない。
【００１０】
本技術に関連して、二眼式ステレオ立体画像技術（３Ｄ立体画像技術）について説明する。二眼式ステレオ立体映像では、まず、対象物を右眼及び左眼で見たときの２つの映像を用意する。そして、これらの映像を同時に表示した上で、右眼用映像を右眼だけに、左眼用映像を左眼だけに提示する。これにより、三次元空間で対象物を見ている際に目に映る映像を再現し、ユーザに対象物を立体視させる。
【００１１】
立体視が可能な３Ｄディスプレイには、（ａ）メガネ方式、（ｂ）裸眼方式、（ｃ）ビューア方式が主に採用されている。（ａ）メガネ方式には、さらにアナグリフ方式、偏光フィルタ方式、時分割方式がある。また、（ｂ）裸眼方式にはパララックスバリア方式、レンティキュラ方式があり、（ｃ）ビューア方式にはステレオスコープ方式、ヘッドマウント方式がある。
【先行技術文献】
【特許文献】
【００１２】
【特許文献１】特開２００６−１７４９７号公報
【非特許文献】
【００１３】
【非特許文献１】A New "Logicle" Display Method Avoids Deceptive Effects of Logarithmic Scaling for Low Signals and Compensated Data. Cytometry Part A 69A:541-551, 2006.
【発明の概要】
【発明が解決しようとする課題】
【００１４】
一つの測定パラメータを軸としたヒストグラム上あるいは一つの組み合わせの測定パラ
メータを軸としたサイトグラム上においては、解析対象とする細胞小集団と不要な細胞と
が重なり合う領域に存在している場合がある。例えば、ヒト末梢血をサンプルとしてリンパ球の解析を行う際、前方散乱光（FS）と側方散乱光（SS）を軸にとったサイトグラム上では、一部の単球がリンパ球と同一の領域に存在する場合がある。
【００１５】
このため、従来のヒストグラム及びサイトグラムを用いたデータ解析では、目的細胞の特定が困難で、目的細胞のみが存在するように領域を設定することが難しく、頻度分布などの統計データを正確に得ることができなかった。
【００１６】
そこで、本技術は、解析対象とする微小粒子あるいは微小粒子小集団を分布図上で容易かつ直感的に特定でき、これらについての正確な統計データを得ることが可能なデータ解析装置を提供することを主な目的とする。
【課題を解決するための手段】
【００１７】
上記課題解決のため、本技術は、微小粒子の測定データを保存するデータ格納部と、前記測定データから独立した３種の変数を選択する入力部と、前記３種の変数を座標軸とする座標空間内における位置と図形を計算し、前記微小粒子の特性分布を表す３Ｄ立体画像を作成するデータ処理部と、前記３Ｄ立体画像を表示する表示部と、を有し、前記入力部からの入力信号に基づいて前記座標空間を複数の領域に区分けする平面を位置変更可能に設定し、前記３Ｄ立体画像中に表示する３Ｄデータ解析装置を提供する。この３Ｄデータ解析装置において、前記データ処理部は、前記領域における変数値及び／又は分布頻度を計算し、前記表示部は、変数値及び／又は分布頻度に関する情報を表示する。
この３Ｄデータ解析装置によれば、任意に選択した３種のパラメータを座標軸とした三次元分布図を立体視しながらデータ解析のための領域を設定し、該領域における変数値及び／又は分布頻度の解析結果を得ることができる。
この３Ｄデータ解析装置の前記３Ｄ立体画像において、前記平面は、前記座標軸に垂直な面であり、平面と座標軸との交点に配置された標識図形が前記入力部からの入力信号に基づいて移動されるに伴って位置変更されるものとできる。あるいは、前記平面を、前記座標軸の各軸にそれぞれ垂直な３つの面とする場合には、前記平面は、３つの平面の交点に配置された標識図形が前記入力部からの入力信号に基づいて移動されるに伴って一体に位置変更されるものとしてもよい。
また、前記平面は、半透明で表示され、該画像の立体像観察時において該平面よりも奥に前記図形を観察可能とするものであることが好ましい。さらに、前記平面は、前記入力部からの信号入力時にのみ前記３Ｄ立体画像中に表示され、又は、前記入力部からの入力信号に基づいて前記３Ｄ立体画像中への表示の有無を切り換え可能とされることが好ましい。
この３Ｄデータ解析装置は、前記入力部からの入力信号に基づいて前記表示部において前記３Ｄ立体画像を回転させ、任意に選択された座標軸方向からの該画像の立体像を観察できるように構成されることが好ましい。
【００１８】
また、本技術は、微小粒子の測定データを保存するデータ格納部と、前記測定データから独立した３種の変数を選択する入力部と、前記３種の変数を座標軸とする座標空間内における位置と図形を計算し、前記微小粒子の特性分布を表す３Ｄ立体画像を作成するデータ処理部と、前記３Ｄ立体画像を表示する表示部と、を有し、前記入力部からの入力信号に基づいて前記座標空間を複数の領域に区分けする平面を位置変更可能に設定し、前記３Ｄ立体画像中に表示する３Ｄデータ解析装置と、微小粒子測定装置と、を連設してなる微小粒子解析システムを提供する。
【００１９】
さらに、本技術は、微小粒子の測定データから独立した３種の変数を選択する手順と、前記３種の変数を座標軸とする座標空間内における位置と図形を計算し、前記微小粒子の特性分布を表す３Ｄ立体画像を作成する手順と、前記３Ｄ立体画像を表示させる手順と、前記３Ｄ立体画像において前記座標空間を複数の領域に区分けする平面を設定する手順と、を含む３Ｄデータ解析方法を提供する。併せて、本技術は、微小粒子の測定データから選択される独立した３種の変数を座標軸とする座標空間内における位置と図形を計算し、前記微小粒子の特性分布を表す３Ｄ立体画像を作成するステップと、前記３Ｄ立体画像を表示するステップと、前記３Ｄ立体画像においてユーザにより設定される平面により複数の領域に区分けされた前記座標空間の各領域について、該領域における変数値及び／又は分布頻度を計算するステップと、をコンピュータに実行させる３Ｄデータ解析プログラムをも提供する。
【００２０】
本技術において、「微小粒子」には、細胞、微生物及びリポソーム等の生体関連粒子、ラテックス粒子、ゲル粒子、工業用粒子等の合成粒子などの微小粒子が広く含まれるものとする。
細胞には、動物細胞（血球系細胞など）及び植物細胞が含まれる。微生物には、大腸菌等の細菌類、タバコモザイクウイルス等のウイルス類、イースト菌等の菌類などが含まれる。生体関連粒子には、各種細胞を構成する染色体、リポソーム、ミトコンドリア、オルガネラ(細胞小器官)なども含まれる。さらに、生体関連粒子には、核酸やタンパク質、これらの複合体などの生体関連高分子も包含され得るものとする。工業用粒子は、有機もしくは無機高分子材料、金属などであってもよい。有機高分子材料には、ポリスチレン、スチレン・ジビニルベンゼン及びポリメチルメタクリレートなどが含まれる。無機高分子材料には、ガラス、シリカ及び磁性体材料などが含まれる。金属には、金コロイド及びアルミなどが含まれる。これら微小粒子の形状は、一般には球形であるが、非球形であってもよい。また、微小粒子の大きさや質量なども特に限定されない。
【発明の効果】
【００２１】
本技術により、解析対象とする微小粒子あるいは微小粒子小集団を分布図上で容易かつ直感的に特定でき、これらについての正確な統計データを得ることが可能なデータ解析装置が提供される。
【図面の簡単な説明】
【００２２】
【図１】フローサイトメータに連設された本技術に係る３Ｄデータ解析装置の構成を説明するブロック図である。
【図２】本技術に係る３Ｄデータ解析装置の機能的構成を説明するブロック図である。
【図３】本技術に係る３Ｄデータ解析装置により表示される三次元分布図を説明する模式図である。
【図４】本技術に係る３Ｄデータ解析装置により表示される二眼式ステレオ立体画像（３Ｄ立体画像）を説明する模式図である。
【図５】三次元分布図の座標空間に設定される平面（ガイド面）と領域を説明する模式図である。
【図６】座標空間を８領域に区分した三次元分布図を説明するための模式図である。
【図７】三次元分布図の座標空間を８領域に区分するガイド面を移動させるための標識図形の配置を説明するための模式図である。
【図８】三次元分布図の座標空間に斜めに設定されるガイド面を説明するための模式図である。
【図９】座標空間を８領域に区分した三次元分布図における頻度分布の解析結果の表示例を説明するための図である。
【図１０】分布頻度を反映させて多色表示した三次元分布図を説明するための模式図である。
【図１１】３Ｄ立体画像中の微小粒子に対応する図形の形状を説明する模式図である。
【図１２】シェード処理された図形の立体観察像を説明する概念図である。
【図１３】シェード処理の処理方法を説明する模式図である。
【図１４】座標軸の立体観察像を説明する概念図である。
【図１５】各座標軸方向からの三次元分布図の立体観察像を説明する概念図である。
【図１６】微小粒子に対応する図形を揺動させた動画像の立体観察像を説明する概念図である。
【発明を実施するための形態】
【００２３】
以下、本技術を実施するための好適な形態について図面を参照しながら説明する。なお、以下に説明する実施形態は、本技術の代表的な実施形態の一例を示したものであり、これにより本技術の範囲が狭く解釈されることはない。説明は以下の順序で行う。
１．３Ｄデータ解析装置の構成
２．３Ｄ立体画像の表示
３．データ解析
４．データ表示
５．３Ｄ立体画像の特徴
（５−１）図形の形状
（５−２）図形のシェード処理
（５−３）座標軸
（５−４）動画像
６．３Ｄデータ解析プログラム
【００２４】
１．３Ｄデータ解析装置の構成
図１に、本技術に係る３Ｄデータ解析装置の装置構成を示す。ここでは、３Ｄデータ解析装置を微小粒子測定装置に連設して微小粒子解析システムとして構成した実施形態を示す。また、図２に、この微小粒子解析システムの機能的構成を示す。以下では、微小粒子測定装置としてフローサイトメータを用いる場合を例に説明する。
【００２５】
図中符号１で示す３Ｄデータ解析装置は、通信ケーブル４によりフローサイトメータ２と接続されて微小粒子解析システム３を構成している。３Ｄデータ解析装置１は、中央処理装置（ＣＰＵ）１０、メモリ２０、ハードディスク３０、ユーザインターフェイスなどを含んでいる。ハードディスク３０には、３Ｄデータ解析プログラム３１、微小粒子の測定データ３２及びオペレーティングシステム（ＯＳ）３３などが格納・保持されている。ユーザインターフェイスには、ユーザからの情報の入力を受け付けるマウス４１及びキーボード４２と、ユーザに対して情報を出力するディスプレイ４３及びプリンタ４４などが含まれる。なお、マウス４１及びキーボード４２に替えて、あるいはこれらとともに、スティックコントローラ及びペンタブレットなどの入力デバイスを設けてもよい。
【００２６】
データ格納部１３０（ハードディスク３０）は、フローサイトメータ２から出力される微小粒子（細胞）の測定データ３２を保存する。フローサイトメータ２の入出力インターフェイス２５０から出力される測定データは、通信ケーブル４を介して３Ｄデータ解析装置１の入出力インターフェイス１５０に入力され、データ格納部１３０（ハードディスク３０）に格納される。
【００２７】
測定データ３２は、データ処理部１２０において処理される。データ処理部１２０は、入力部１４１（マウス４１あるいはキーボード４２など）からのユーザの入力を受けて処理を開始する。すなわち、データ処理部１２０は、ユーザによって測定データ３２から独立した３種の変数（パラメータ）が選択され入力されると、選択されたパラメータを座標軸として微小粒子の特性分布を表す三次元分布図を作成する。三次元分布図は、選択されたパラメータを座標軸とした座標空間内に微小粒子をプロットすることにより作成される。微小粒子のプロットは、選択されたパラメータの測定値から各微小粒子の座標空間内の位置と図形を計算し、算出された位置に算出された図形を描画することによって行われる。
【００２８】
ここで、「独立したパラメータ」とは、微小粒子の前方散乱光（FS）、側方散乱光（SS）、蛍光（FL）及びインピーダンスなどから選択される互いに異なるパラメータを意味する。蛍光（FL）は、微小粒子に標識された蛍光色素の波長域毎に異なるパラメータとして扱うことができ、ＦＬ１，ＦＬ２〜ＦＬｎ（ｎは３以上の整数）などと表記される。独立した３種のパラメータとしては、例えば、前方散乱光（FS）、側方散乱光（SS）及び蛍光（FL1）の組み合わせや、前方散乱光（FS）、側方散乱光（SS）及びインピーダンスの組み合わせが例示される。この他、独立した３種のパラメータは、測定データから任意に選択して組み合わせることができる。
【００２９】
データ処理部１２０により作成された三次元分布図は、表示部１４２（ディスプレイ４３）に３Ｄ立体画像として表示される。表示部１４２に表示される３Ｄ立体画像は、一または二以上とできる。二以上の３Ｄ立体画像を表示する場合、同一の三次元分布図について複数の異なる方向から観察した３Ｄ立体画像を表示しても、選択された３種のパラメータのうち少なくとも一つを異にする複数の三次元分布図の３Ｄ立体画像を表示してもよい。この３Ｄ立体画像は、次に詳しく説明する二眼式ステレオ立体画像とされる。
【００３０】
さらに、測定データ３２に複数の異なる時刻（タイムポイント）における測定値が含まれる場合には、表示部１４２は、複数のタイムポイントにおける微小粒子の特性分布を表す三次元分布図を３Ｄ立体画像により表示してもよい。複数のタイムポイントにおける測定値を含む測定データとしては、例えば、細胞表面分子複合体の会合又は解離を蛍光共鳴エネルギー移動（ＦＲＥＴ）法を用いて経時的に測定したデータ、細胞膜の変化を細胞膜の電荷に対応して蛍光波長が変化する蛍光色素を用いて経時的に測定したデータ、又は細胞表面分子の発現強度を細胞内カルシウムの流入レスポンスと相関させて測定したデータなどがある。
【００３１】
複数のタイムポイントにおける三次元分布図の３Ｄ立体画像は、並べて一度に表示させてもよく、あるいは切り換えながら一つずつ表示させてもよい。３Ｄ立体画像の切り換え表示を行う場合、切り換えは自動的に行われてもよく、ユーザの入力信号に基づいて行われてもよい。複数のタイムポイントにおける三次元分布図の３Ｄ立体画像を表示させることで、ユーザが微小粒子の特性分布の経時的変化を確認しながらデータ解析を行うことができ、３種のパラメータ（座標軸）に時間（時間軸）を加えたより多元的な解析が可能となる。
【００３２】
表示部１４２への３Ｄ立体画像の表示は、入力部１４１（マウス４１あるいはキーボード４２など）からのユーザの入力信号に基づき任意に回転、拡大あるいは縮小させて行ってもよい。また、入力部１４１からの入力信号に基づいて三次元分布図の座標空間内に、ゲーティングのための分画領域あるいは後述するデータ分析のための解析領域が設定される場合には、３Ｄ立体画像は該画像中に表示された分画領域あるいは解析領域を示す立体形状とともに回転、拡大あるいは縮小される。
【００３３】
フローサイトメータ２は、従来公知の装置と同様の構成あるいはこれを適宜改変した構成とでき、具体的には、制御部２１０、フロー系２２０、検出系２３０、入出力インターフェイス２５０等から構成される。
【００３４】
フロー系２２０は、フローセルやマイクロチップに形成された流路内において、微小粒子を含むサンプル液層流をシース液層流の中心に流し、層流中に微小粒子を一列に配列させる。検出系２３０は、流路を通流する微小粒子の特性を示すパラメータ値を取得する。具体的には、光学検出部２３１は、通流する微小粒子に光を照射し、微小粒子から生じる散乱光や蛍光などを検出し、その強度を取得する。光学検出部２３１は、レーザー光源、レンズ、ミラー、フィルタ、ＣＣＤ及びＣＭＯＳ素子等のエリア撮像素子あるいはＰＭＴ（photo multiplier tube）などを含んでなる。また、電気検出部２３２は、通流する微小粒子に対向して配された電極を含んでなり、微小粒子のインピーダンス、容量値（キャパシタンス）及びインダクタンスなどを取得する。フローサイトメータ２は、解析の結果所望の特性を有すると判定された微小粒子を分取するための分取系２４０を備えていてもよい。分取系２４０には、例えば、微小粒子を含む液滴をフローセル外の空間に吐出し、液滴の移動方向を制御することにより、所望の微小粒子のみを容器に回収する方式を採用できる。
【００３５】
検出系２３０において検出された散乱光及び蛍光などの強度の測定値、あるいはインピーダンス、容量値（キャパシタンス）及びインダクタンスなどの測定値は、電気信号に変換され、測定データとして入出力インターフェイス２５０から出力される。
【００３６】
２．３Ｄ立体画像の表示
図３に、本技術に係る３Ｄデータ解析装置により表示される三次元分布図を模式的に示す。この三次元分布図は、表示部１４２に３Ｄ立体画像により表示され、ユーザによって立体的に視認され得るものである。
【００３７】
三次元分布図５は、ユーザにより選択された３種のパラメータを座標軸とした座標空間６内に微小粒子の特性分布を示す。三次元分布図５では、選択されたパラメータの測定値から算出される位置に各微小粒子に対応する図形７が描画される。
【００３８】
図では、３種のパラメータを、前方散乱光（FS-Lin：Ｘ軸）、側方散乱光（SS-Lin：Ｙ軸）及び第一の蛍光（FL1-Lin：Ｚ軸）の組み合わせとした場合を例示した。各座標軸にとるパラメータは、任意に選択される組み合わせとできる。例えば、Ｘ軸に第一の蛍光（FL1）、Ｙ軸に第二の蛍光（FL2）、Ｚ軸にインピーダンスをとることもできる。
【００３９】
三次元分布図５の３Ｄ立体表示は、二眼式ステレオ立体画像により行われる。図４に、本技術に係る３Ｄデータ解析装置により表示される二眼式ステレオ立体画像を模式的に示す。
【００４０】
データ処理部１２０は、ユーザによってパラメータが選択されると三次元分布図５を作成して、該分布図を左眼で見たときの画像（左眼用画像５Ｌ）と、右眼で見たときの画像（右眼用画像５Ｒ）を作成する。表示部１４２（ディスプレイ４３）は、左眼用画像５Ｌ及び右眼用画像５Ｒを同時に表示し、左眼用画像５Ｌを左眼だけに、右眼用画像５Ｒを右眼だけに分離提示する。
【００４１】
分離提示は、例えばメガネ方式の一つである時分割方式では、左眼用画像５Ｌと右眼用画像５Ｒとをわずかな時間差で交互に表示させ、これにシャッタメガネ８を同期させることによって行うことができる。この他、分離提示は、アナグリフ方式及び偏光フィルタ方式などの他のメガネ方式、パララックスバリア方式及びレンティキュラ方式などの裸眼方式、ステレオスコープ方式及びヘッドマウント方式などのビューア方式を採用してもよい。
【００４２】
ディスプレイ４３は、左眼用画像５Ｌ及び右眼用画像５Ｒを分離提示することによって、三次元空間で三次元分布図を見ている際に目に映る映像を再現し、ユーザに分布図を立体視させる。
【００４３】
３．データ解析
データ分析のための解析領域の設定は、ユーザが、表示部１４２に表示された３Ｄ立体画像を見ながら、マウス４１あるいはキーボード４２などの入力デバイスを用いて、三次元分布図５の座標空間６を複数の領域に区分けする平面を設定することによって行われる。図５に、設定される平面と領域の具体例を示す。ここでは、簡略のため、１つの座標軸Ｘに沿って平面（以下、「ガイド面」とも称する）５１によって座標空間６を２つの領域６１，６２に区分けする例を示した。
【００４４】
ガイド面５１は、座標軸Ｘに対して垂直であり、座標空間６を軸方向において領域６１及び領域６２に分割している。ガイド面５１は、ガイド面５１と座標軸Ｘとの交点に配置された標識図形５１１をマウス４１あるいはキーボード４２などの入力デバイスを用いて移動させることによって、標識図形５１１とともに移動される。すなわち、入力部１４１からの入力信号に基づいて標識図形５１１が座標軸上を移動されると、これに伴ってガイド面５１が座標空間６内を移動されて位置変更される。図中矢印は、座標軸Ｘ上の標識図形５１１の移動方向及び座標空間６内のガイド面５１の移動方向を示す。
【００４５】
具体的には、例えば、目的細胞が所定のパラメータについて一定値以上の値を示すことが既知である場合、該パラメータをとった座標軸Ｘ上の標識図形５１１を一定値にまで移動させる。そして、標識図形５１１の移動に伴って座標空間６内を移動するガイド面５１によって、座標空間６を一定値以上の領域（目的細胞に対応する図形７が存する領域）６２と一定値未満の領域（非目的細胞に対応する図形７が存する領域）６１とに区分けする。
【００４６】
３Ｄ立体画像において、ガイド面５１は、立体視した際にガイド面５１よりも奥に観察される図形７（ここでは、領域６２に位置する図形７）をユーザが観察できるように、半透明で表示される。ユーザは、ガイド面５１よりも奥の図形７を、半透明のガイド面５１を透かして視認することができる。これにより、例えば、目的細胞に対応する図形７と非目的細胞とに対応する図形７とをパラメータの値によってではなく、分布状況に応じた適切な座標位置で区分けする場合に、ユーザが、座標軸Ｘ方向における図形７の分布を視認しながらガイド面５１の位置を設定できる。
【００４７】
ガイド面５１は、入力部１４１からの信号入力時にのみ３Ｄ立体画像中に表示されるようにしてもよい。これにより、ユーザがガイド面５１の設定を行う際に、ガイド面５１よりも奥に観察される図形７をより良好に視認できる。また、ガイド面５１よりも奥に観察される座標軸や、座標軸の目盛及び数値も見易くなる。なお、入力部１４１からのユーザの入力信号に基づいて３Ｄ立体画像中へのガイド面５１の表示の有無を切り換え可能とすることによっても同様の効果を得られる。この場合、ユーザは、ガイド面５１の位置調整を行う際には、画像中にガイド面５１を表示させ、設定後のガイド面５１の位置及びこれによって区分けされた領域を確認したい場合には、画像中にガイド面５１を非表示とすればよい。
【００４８】
座標空間６は、解析するデータに応じて２以上の領域に区分けすることができる。領域の数は特に限定されないが、各座標軸にそれぞれ垂直なガイド面を設定することにより、座標空間６を８つの領域に区分することが好ましい。図６に、座標空間６を８領域に区分した三次元分布図を示す。
【００４９】
ガイド面５１，５２，５３はそれぞれＸ，Ｙ，Ｚの座標軸に垂直であり、これらの３つのガイド面によって座標空間６は領域６１〜６８の８つの領域に分割されている。８つの領域のうち、例えば、領域６１は、Ｘ軸にとったパラメータの値が標識図形５１１の位置する値よりも大きく、Ｙ軸にとったパラメータの値が標識図形５２１の値よりも小さく、Ｚ軸にとったパラメータの値が標識図形５３１の値よりも小さい領域である。また、例えば、領域６８は、Ｘ軸にとったパラメータの値が標識図形５１１の位置する値よりも小さく、Ｙ軸にとったパラメータの値が標識図形５２１の値よりも大きく、Ｚ軸にとったパラメータの値が標識図形５３１の値よりも大きい領域である。
【００５０】
ガイド面５１，５２，５３は、上述のように、座標軸との交点に配置された標識図形５１１，５２１，５３１を移動させることによってそれぞれ位置変更することができる（図７（Ａ）参照）。あるいは、ガイド面５１，５２，５３を移動させるための標識図形として、３つの平面の交点に標識図形５４１を配置してもよい。この場合、標識図形５４１を移動させることによって、ガイド面５１，５２，５３を一括して同時に位置変更できる。
【００５１】
なお、ここでは、ガイド面を座標軸に対して垂直な面として設定する場合について説明したが、ガイド面はいずれの座標軸に対しても垂直でない斜めの面として設定することもできる（図８参照）。この場合も、ガイド面と各座標軸との交点に配置した標識図形を移動させることで、ガイド面の位置及び傾きを変更できる。
【００５２】
４．データ表示
データ処理部１２０は、各領域におけるパラメータの値及び／又は分布頻度を計算し、表示部１４２に、パラメータの値及び／又は分布頻度に関する情報（解析結果）を表示させる。
【００５３】
パラメータの値に関する情報は、例えば当該領域に存在する図形７についてのパラメータの最小値、最大値、平均値、中央値、標準偏差あるいは標準誤差などとできる。また、分布頻度に関する情報は、当該領域に存在する図形７の数が、座標空間６全体に存在する図形７の数に占める割合とされる。分布頻度は、例えば、細胞集団中に目的細胞がどれくらいの比率で含まれているのかを示すポピュレーション情報として有用である。
【００５４】
図９に、座標空間６を８領域に区分した三次元分布図における頻度分布の解析結果の表示例を示す。ここでは、図６に示した領域６１〜６８を設定した三次元分布図５において、Ｘ軸、Ｙ軸及びＺ軸のパラメータにそれぞれ第一の蛍光（FL1）、第三の蛍光（FL3）及び第５の蛍光（FL5）をとった例を説明する。
【００５５】
図に示す解析結果の表中において、例えば、ＦＬ１（＋）・ＦＬ３（−）・ＦＬ５（−）の欄は、ＦＬ１の測定値が標識図形５１１の位置する値よりも大きく、ＦＬ３の測定値が標識図形５２１の値よりも小さく、ＦＬ５の測定値が標識図形５３１の値よりも小さい領域６１の頻度分布の解析結果（１５．６％）を示している。また、例えば、ＦＬ１（−）・ＦＬ３（＋）・ＦＬ５（＋）の欄は、ＦＬ１の測定値が標識図形５１１の位置する値よりも小さく、ＦＬ３の測定値が標識図形５２１の値よりも大きく、ＦＬ５の測定値が標識図形５３１の値よりも大きい領域６８の頻度分布の解析結果（７．７％）を示している。
【００５６】
頻度分布の解析結果は、表示部１４２に表示される３Ｄ立体画像において、各領域内の図形７を分布頻度に関連付けされた色で多色表示することでユーザに提示してもよい。分布頻度と図形７の色との関連付けには、従来、頻度情報の視覚化に用いられているヒートマップ表示を応用できる。
【００５７】
図１０に、分布頻度を反映させて多色表示した三次元分布図を示す。（Ａ）に示す三次元分布図は、図６に示した図と同一であり、ガイド面５１，５２，５３によって領域６１〜６８に区分けされ、各領域の分布頻度は図９に示したように算出されているものとする。（Ｂ）は各領域について算出された分布頻度の数値に応じ、当該領域内に存在する図形７に付与する色を示す図であり、分布頻度が高いほど濃い色が、分布頻度が低いほど淡い色が対応付けされている。
【００５８】
（Ａ）に示す三次元分布図では、（Ｂ）に示す分布頻度と色の対応関係に基づき、頻度分布が高い領域内（図６の領域６３が最も高い）では図形７の色が濃く、頻度分布が低い領域（図６の領域６７が最も低い）では図形の色が淡く表示されている。このように、頻度分布の解析結果を、３Ｄ立体画像中において各領域内の図形７を頻度分布に応じた異なる色によって表示することで、ユーザが直感的に解析結果を知得することが可能となる。
【００５９】
分布頻度と色の対応付けは、ここで示したように単一色の濃淡のみならず、異なる明度、彩度又は色相によって多色表示することが可能である。例えば、従来のヒートマップ表示のように、分布頻度が高い領域には赤などの暖色系を用い、中程度の領域には緑などの中間色系を用い、低い領域には青などの寒色系を用いて、分布頻度が下がるにしたがって暖色系から寒色系へ色を変化させて表示する方式を採用できる。
【００６０】
データ処理部１２０による各領域のパラメータの値及び／又は分布頻度の計算は、ユーザが入力デバイスを用いてガイド面を移動させるのに連動させて、ガイド面の位置変更と領域の再設定が行われる都度に新たに実行されるようにしてもよい。さらに、新たに算出された分布頻度は、三次元分布図の各領域内の図形７の色を該分布頻度に応じた色に都度更新することによって、表示部１４２に表示される３Ｄ立体画像に反映させることが好ましい。このように、ユーザによるガイド面の位置変更及び領域の再設定に応答して、３Ｄ立体画像中にリアルタイムに分布頻度の解析結果を表示させることでユーザが解析結果をより直感的に知得することができ、データの解析効率の向上に寄与できる。
【００６１】
上記のようなユーザによるガイド面の位置変更及び領域の再設定に連動して自動的に三次元分布図の各領域内の図形７の色を変化させる方法に加えて、ユーザがガイド面の位置変更等の後に所望のタイミングで図形７の色を変化させ、分布頻度の解析結果を確認することができるようにしてもよい。この場合、ユーザによるガイド面の位置変更及び領域の再設定の作業中は、各領域内の全ての図形７を同一色で表示してもよいが、好ましくは領域毎に固有の色で図形７を表示することが好ましい。例えば、図６に示した座標空間６を８領域に区分した三次元分布図の例では、領域６１〜６８の８つの領域内の図形７をそれぞれ固有の異なる色によって表示させる。このように、各領域に固有の色を付与して図形７の表示を行うことで、ユーザがガイド面の位置変更を行う際に、各図形７がいずれの領域に存在しているのかを確認しながら領域の設定を行うことができ、領域間の境界を明確に認識して、正確な領域設定を行うことが可能となる。なお、ガイド面の位置変更等が完了した後は、ユーザが所望のタイミングで図形７の色を領域固有の色から各領域の分布頻度を反映した色に変化させ、分布頻度の解析結果を確認できるようにすることが好ましい。
【００６２】
このように、３Ｄデータ解析装置１では、ユーザは、任意に選択した３種のパラメータを座標軸とした三次元分布図を立体視しながらデータ解析のための領域を設定し、該領域における変数値及び／又は分布頻度の解析結果を得ることができる。このため、３Ｄデータ解析装置１では、従来の１種又は２種のパラメータを座標軸としたヒストグラムあるいはサイトグラムでは解析対象とする微小粒子の特定が困難なサンプルであっても、解析対象微小粒子のみが存在するような領域を設定して、正確な解析結果を得ることが可能となる。また、座標軸に用いるパラメータを任意に組み合わせて三次元分布図を表示させることで、一つのグラフで微小粒子の３つの特性に関する情報を得ることができる。さらに、同一の三次元分布図について複数の異なる方向から観察した３Ｄ立体画像を表示させたり、選択された３種のパラメータのうち少なくとも一つを異にする複数の三次元分布図の３Ｄ立体画像を表示させたりすることで、より多くの情報を得ることができる。このため、３Ｄデータ解析装置１では、従来のヒストグラムあるいはサイトグラムによる解析に比べて参照すべきグラフ数を減らして、効率的な解析を行うことができる。
【００６３】
５．３Ｄ立体画像の特徴
以下、本技術に係る３Ｄデータ解析装置により表示される３Ｄ立体画像の特徴について順に説明する。
【００６４】
（５−１）図形の形状
図３中符号７で示した微小粒子に対応する図形は、所定形状のポリゴンの組み合わせからなる多面体として計算され、３Ｄ立体画像中に表示される。上記のように、データ処理部１２０は、ユーザが選択したパラメータの測定値に基づいて各微小粒子の座標空間内の位置と図形７を計算し、三次元分布図を作成する。この際、図形７を所定形状のポリゴンの組み合わせからなる多面体として計算することで、データ処理部１２０における計算負荷を軽減できる。また、図形７を所定形状のポリゴンの組み合わせからなる多面体として３Ｄ立体画像中に表示することで、立体視した際の画像の立体感を増強することができる。
【００６５】
所定形状のポリゴンの組み合わせからなる多面体としては、例えば、図１１（Ａ）に示すような、三角形のポリゴンが６つ組み合わされてなる６面体や、（Ｂ）に示す該ポリゴンが８つ組み合わされてなる８面体を採用できる。図形７の形状は、所定形状のポリゴンの組み合わせからなる多面体である限りにおいて特に限定されないが、計算負荷の軽減と立体感の観点から６面体あるいは８面体が好ましい。
【００６６】
（５−２）図形のシェード処理
３Ｄ立体画像において、図形７は、立体視した際に手前に観察される図形ほど濃く、奥に観察される図形ほど淡く表示される。このように図形７の濃淡を変化させる処理を、以下「シェード処理」と称するものとする。
【００６７】
シェード処理された図形７の立体観察像（以下単に「立体像」という）の概念図を図１２に示す。図中矢印の方向に従って、手前に観察される図形７ほど濃く、奥に観察される図形７ほど淡くなっている。このように、図形７のシェード処理を行うことによって、３Ｄ立体画像の立体像に奥行きを与えて立体感を向上できる。
【００６８】
図１３を参照して、シェード処理の処理方法を説明する。ディスプレイ４３には左眼用画像と右眼用画像が同時に表示され、立体視した際にディスプレイ４３の画面の位置に観察される図形７０の左眼用画像と右眼用画像は重なった状態で表示される（図１３（Ｂ）参照）。
【００６９】
ディスプレイ４３に表示される左眼用画像が右眼用画像よりも右側にある場合（図１３（Ａ）参照）、図形は、ディスプレイ４３の画面の位置よりも手前に立体視される。画面位置から飛び出して観察される図形の立体像を図中符号７１で示し、ディスプレイ４３に表示される図形７１の左眼用画像を符号７１Ｌで、右眼用画像を符号７１Ｒで示す。一方、ディスプレイ４３に表示される左眼用画像が右眼用画像よりも左側にある場合（図１３（Ｃ）参照）、図形は、ディスプレイ４３の画面の位置よりも奥に立体視される。画面位置から飛び出して観察される図形の立体像を図中符号７２で示し、ディスプレイ４３に表示される図形７２の左眼用画像を符号７２Ｌで、右眼用画像を符号７２Ｒで示す。
【００７０】
シェード処理では、手前に観察される図形７１の左眼用画像７１Ｌ及び右眼用画像７１Ｒをより濃く、奥に観察される図形７２の左眼用画像７２Ｌ及び右眼用画像７２Ｒをより淡く表示するようにする。
【００７１】
（５−３）座標軸
３Ｄ立体画像において、座標軸は、立体視した際に手前に観察される部分ほど太く、奥に観察される分ほど細く表示される。太さを変化させた座標軸の立体像の概念図を図１４に示す。このように、座標軸の太さを変化させることによって、３Ｄ立体画像の立体像に奥行きを与えて立体感を向上できる。
【００７２】
また、図１４に示すように、座標軸の目盛間隔を立体視した際に手前に観察される部分ほど広く、奥に観察される分ほど狭く表示することによって、立体像にさらに奥行きを与えられる。また、座標軸名（図ではSS-Lin）及び目盛数値（図では200, 400, 600, 800, 1000）の文字を手前ほど大きく、奥ほど小さく表示したりすることによっても同様の効果が得られる。なお、座標軸の太さ、目盛間隔及び文字の大きさを変化させる処理は、上述のシェード処理を応用して行うことが可能である。
【００７３】
座標軸は、線形軸（リニア軸）と対数軸とが組み合わされた特性を有するバイエクスポネンシャル軸（非特許文献１参照）としてもよい。バイエクスポネンシャル軸では、座標軸として選択されたパラメータの測定値が所定値より小さいデータに対しては、線形関数を主たる関数要素とする関数を適用して微小粒子に対応する図形７の位置が算出される。また、測定値が所定値より大きいデータに対しては、対数関数を主たる関数要素とする関数を適用して図形７の位置を算出する。より簡便には、バイエクスポネンシャル軸は、所定値よりも大きい領域を対数軸、所定値よりも小さい領域を線形軸としたものとできる。三次元分布図の座標軸をバイエクスポネンシャル軸とすることで、対数軸の特性を活かした広いダイナミックレンジの表示が可能となり、同時に線形軸の特性により負数の表示も可能となる。なお、三次元分布図の座標軸は、少なくとも一つがバイエクスポネンシャル軸とされればよいものとする。
【００７４】
（５−４）動画像
既に説明したように、表示部１４２（ディスプレイ４３）への３Ｄ立体画像の表示は、入力部１４１（マウス４１あるいはキーボード４２など）からのユーザの入力信号に基づき任意に回転、拡大あるいは縮小させて行ってもよい。３Ｄ立体画像を回転する際には、図３に示したように、座標空間６を構成する立体形状（図では立方体）の各辺に座標軸が表示されていることが好ましい。これらの座標軸により座標空間６の立体形状が明確になるため、３Ｄ立体画像を回転させた際の三次元分布図の向きの変化を認識し易くなる。
【００７５】
ディスプレイ４３に表示される３Ｄ立体画像は、ユーザからの入力により随意に回転される他、常時一定方向あるいは不特定方向にゆっくりと回転していてもよい。３Ｄ立体画像を常時回転する動画像により表示することで、静止画像による表示に比べて立体感を高められる。
【００７６】
さらに、ディスプレイ４３に表示される３Ｄ立体画像は、ユーザによる回転操作中及び自動回転中の任意のタイミングで、ユーザの入力信号に基づいて、ユーザにより選択された座標軸方向からの立体観察像を提供する向きにまで自動的に回転される。図１５に、各座標軸方向からの三次元分布図の立体観察像を示す。（Ａ）はＺ軸方向からの観察像、（Ｂ）はＸ軸方向からの観察像、（Ｃ）はＹ軸方向からの観察像を示す。各座標軸方向からの視点の切り換えは、例えばキーボード４２からのＺキーの入力によって画像がＺ軸方向視点に回転し、Ｘキーの入力によって画像がＺ軸方向視点からＸ軸方向視点へ回転するようにすればよい。また、各座標軸方向からの視点の切り換えは、例えばディスプレイ４３に表示されたアイコンをマウス４１によってクリックすることによって行われるようにしてもよい。このように、簡単な入力によって各座標軸方向からの視点を切り換えて３Ｄ立体画像を観察できるようにすることで、三次元分布図における微小粒子の特性分布をユーザが把握し易くなる。
【００７７】
なお、ディスプレイ４３において３Ｄ立体画像を常時回転させて表示する場合、３Ｄ立体画像は、三次元分布図の上下方向を保つように回転されることが好ましい。すなわち、３Ｄ立体画像は、三次元分布図のＸＹ平面、ＹＺ平面及びＺＸ平面から選択されるいずれかの面を常に分布図下方に向けた状態で回転されることが好ましい。具体的には、例えば図１５（Ａ）に示す３Ｄ立体画像を常時回転させる場合、ＺＸ平面が三次元分布図の底面に常に位置するように画像を回転させる。この際、三次元分布図の回転軸を傾けたり、傾き角度を変化させたりしながら、画像を回転させてもよい。このように、３Ｄ立体画像の回転方向に一定の制限を加えたほうが、ユーザが三次元分布図に対する自身の視点方向を知覚し易く、三次元分布図の向きを把握できなくなるのを防止できる。
【００７８】
ディスプレイ４３に表示される３Ｄ立体画像は、微小粒子に対応する図形が揺動する動画像により表示されてもよい。このとき、立体視した際に奥に観察される図形に比して手前に観察される図形を大きく揺動させて表示させる。揺動動作が付与された図形の立体像の概念図を図１６に示す。図形７１，７２は、図中矢印に示すように左右に揺動し、左右への揺動幅は手前に観察される図形７１で大きく、奥に観察される図形７２で小さくなっている。このように、立体視した際に奥に観察される図形に比して手前に観察される図形をより大きく揺動させて表示することで、３Ｄ立体画像の立体像に奥行きを与えて立体感を向上できる。
【００７９】
また、３Ｄ立体画像を動画像により表示する場合、微小粒子に対応する図形が点滅するようにしてもよい。このとき、立体視した際に奥に観察される図形に比して手前に観察される図形をより高頻度に点滅させて表示させることで、３Ｄ立体画像の立体感をさらに向上できる。
【００８０】
さらに、測定データ３２に複数のタイムポイントにおける測定値が含まれる場合には、各タイムポイントにおける三次元分布図の３Ｄ立体画像を動画像により表示させることもできる。これにより、例えば上述の細胞表面分子複合体の会合又は解離を測定する例においては、細胞表面分子複合体の会合等の経時的変化を動画像によって確認することができる。
【００８１】
以上のように、本技術に係る３Ｄデータ解析装置は、表示される３Ｄ立体画像の立体感を向上させるための工夫がなされている。従って、点（微小粒子に対応する図形）と線（座標軸）のみからなる三次元分布図であっても、ユーザはその立体像を良好に視認しながら測定データの解析を行うことができ、分布図上において解析対象とする微小粒子ならびに微小粒子小集団を容易かつ直感的に特定できる。
【００８２】
６．３Ｄデータ解析プログラム
本技術に係る３Ｄデータ解析プログラムは、微小粒子の測定データから選択される独立した３種の変数を座標軸とする座標空間内における位置と図形を計算し、前記微小粒子の特性分布を表す３Ｄ立体画像を作成するステップと、前記３Ｄ立体画像を表示するステップと、前記３Ｄ立体画像においてユーザにより設定される平面により複数の領域に区分けされた前記座標空間の各領域について、該領域における変数値及び／又は分布頻度を計算するステップと、をコンピュータに実行させる。
【００８３】
図１及び図２を再度参照して上述した実施形態に基づき説明すると、３Ｄデータ解析プログラムは、ハードディスク３０に格納・保持される（図中符号３１参照）。３Ｄデータ解析プログラムは、ＣＰＵ１０及びオペレーティングシステム（ＯＳ）３３の制御の下でメモリ２０に読み込まれて、データ処理部１２０における三次元分布図の３Ｄ立体画像の作成処理と、表示部１４２への３Ｄ立体画像の表示処理を実行する。
【００８４】
３Ｄデータ解析プログラムは、コンピュータ読み取り可能な記録媒体に記録されたものとできる。記録媒体としては、コンピュータ読み取り可能な記録媒体であれば特に制限はないが、例えば、フレキシブルディスクやＣＤ−ＲＯＭ等の円盤形記録媒体が用いられる。また、磁気テープ等のテープ型記録媒体を用いてもよい。
【００８５】
本技術に係る３Ｄデータ解析装置は以下のような構成をとることもできる。
（１）微小粒子の測定データを保存するデータ格納部と、前記測定データから独立した３種の変数を選択する入力部と、前記３種の変数を座標軸とする座標空間内における位置と図形を計算し、前記微小粒子の特性分布を表す３Ｄ立体画像を作成するデータ処理部と、
前記３Ｄ立体画像を表示する表示部と、を有し、前記入力部からの入力信号に基づいて前記座標空間を複数の領域に区分けする平面を位置変更可能に設定し、前記３Ｄ立体画像中に表示する３Ｄデータ解析装置。
（２）前記データ処理部は、前記領域における変数値及び／又は分布頻度を計算し、前記表示部は、変数値及び／又は分布頻度に関する情報を表示する上記（１）記載の３Ｄデータ解析装置。
（３）前記３Ｄ立体画像において、前記平面は、半透明で表示され、該画像の立体像観察時において該平面よりも奥に前記図形を観察可能とする上記（１）又は（２）記載の３Ｄデータ解析装置。
（４）前記３Ｄ立体画像において、前記平面は、前記入力部からの信号入力時にのみ前記３Ｄ立体画像中に表示され、又は、前記入力部からの入力信号に基づいて前記３Ｄ立体画像中への表示の有無を切り換え可能とされる上記（１）〜（３）のいずれかに記載の３Ｄデータ解析装置。
（５）前記入力部からの入力信号に基づいて前記表示部において前記３Ｄ立体画像を回転させ、任意に選択された座標軸方向からの該画像の立体像観察を可能とする上記（１）〜（４）のいずれかに記載の３Ｄデータ解析装置。
（６）前記平面は、前記座標軸に垂直な面であり、平面と座標軸との交点に配置された標識図形が前記入力部からの入力信号に基づいて移動されるに伴って位置変更される上記（１）〜（５）のいずれかに記載の３Ｄデータ解析装置。
（７）前記平面は、前記座標軸の各軸にそれぞれ垂直な３つの面であり、３つの平面の交点に配置された標識図形が前記入力部からの入力信号に基づいて移動されるに伴って一体に位置変更される上記（１）〜（５）のいずれかに記載の３Ｄデータ解析装置。
【産業上の利用可能性】
【００８６】
本技術に係る３Ｄデータ解析装置によれば、任意に選択した３種のパラメータを座標軸とした三次元分布図を立体視しながらデータ解析のための領域を設定することで、従来のヒストグラムあるいはサイトグラムを用いた装置では解析が困難なサンプルについても正確な解析結果を得ることができる。従って、本技術に係る３Ｄデータ解析装置は、例えばフローサイトメータとともに用いられて、医療分野、公衆衛生分野あるいは創薬分野等において、細胞や微生物の特性を容易かつ高精度に解析するために用いられ得る。
【符号の説明】
【００８７】
１：３Ｄデータ解析装置、１０：中央処理装置、１１０：制御部、１２０：データ処理部、１３０：データ格納部、１４１：入力部、１４２：表示部、１５０：入出力インターフェイス、２：フローサイトメータ、２０：メモリ、２１０：制御部、２２０：フロー系、２３０：検出系、２３１：光学検出部、２３２：電気検出部、２４０：分取系、２５０：入出力インターフェイス、３：微小粒子解析システム、３０：ハードディスク、３１：３Ｄデータ解析プログラム、３２：測定データ、３３：オペレーティングシステム、４：通信ケーブル、４１：マウス、４２：キーボード、４３：ディスプレイ、４４：プリンタ、５：三次元分布図、５１，５２，５３：ガイド面、５１１，５２１，５３１，５４１：標識図形、６：座標空間、６１，６２，６３，６４，６５，６６，６７，６８：領域、７：図形、８：シャッタメガネ
【図１】
0006047870.tif 000002
【図２】
0006047870.tif 000003
【図３】
0006047870.tif 000004
【図４】
0006047870.tif 000005
【図５】
0006047870.tif 000006
【図６】
0006047870.tif 000007
【図７】
0006047870.tif 000008
【図８】
0006047870.tif 000009
【図９】
0006047870.tif 000010
【図１１】
0006047870.tif 000011
【図１２】
0006047870.tif 000012
【図１３】
0006047870.tif 000013
【図１４】
0006047870.tif 000014
【図１５】
0006047870.tif 000015
【図１６】
0006047870.tif 000016
【図１０】
0006047870.tif 000017